(57)【要約】      （修正有）【課題】様々な機能を有し、且つキーボードを取り外すことができる電子装置を提供する。【解決手段】電子装置１００は、ベース１０及びキーボードモジュール３０を備える。ベースには、収容部１１１が設けられ、キーボードモジュールは、第一表面３１、第二表面、フレーム３６を備え、キーボードモジュールの第一表面には、ボタンモジュール３１１が設けられている。キーボードモジュールの第二表面には、スクリーンが設置され、キーボードモジュールは、取り外せるように収容部に設置されて、選択的にキーボードモジュール或いはスクリーンを使用でき、収容部には磁石１２１が設置され、キーボードモジュールの第一表面と第二表面の四角の或いはフレームの中の少なくとも１つの辺部１３には、磁性材料によって製造された固定部材３７が設置され、磁石は、キーボードモジュールの固定部材を吸着する。【選択図】図１
2014149820.tif 000002
【特許請求の範囲】
【請求項１】
ベース及びキーボードモジュールを備え、前記ベースには、収容部が設けられ、前記キーボードモジュールは、第一表面と、前記第一表面と相対して位置する第二表面と、前記第一表面と前記第二表面との間に位置するフレームと、を備え、前記キーボードモジュールの第一表面には、ボタンモジュールが設けられている電子装置において、
前記キーボードモジュールの第二表面には、スクリーンが設置され、前記キーボードモジュールは、取り外せるように前記収容部に設置されて、選択的に前記キーボードモジュール或いは前記スクリーンを使用でき、前記収容部には磁石が設置され、前記キーボードモジュールの第一表面及び第二表面の四角或いは前記フレーム中の少なくとも１つの辺部には、磁性材料によって製造された固定部材が設置され、前記磁石は、前記キーボードモジュールの固定部材を吸着し、これにより、前記キーボードモジュールを前記収容部に固定できることを特徴とする電子装置。
【請求項２】
前記磁石は、前記収容部の底部の四角に位置することを特徴とする請求項１に記載の電子装置。
【請求項３】
前記磁石は、前記収容部の隣接する２つの辺部における接続する箇所に位置することを特徴とする請求項１に記載の電子装置。
【請求項４】
前記磁石は、前記収容部を囲み、且つ前記収容部の辺部に位置することを特徴とする請求項１に記載の電子装置。
【請求項５】
ベース及びキーボードモジュールを備える電子装置において、
前記キーボードモジュールの底部には、スクリーンが設置され、前記キーボードモジュールを取り外して回転させた後、前記ベースに取り付けて、前記スクリーンを使用し、前記ベースには、磁性材料によって製造された固定部材が設置され、前記キーボードモジュールには、磁石が設置され、前記キーボードモジュールの磁石は、前記ベースの固定部材を吸着し、これにより、前記キーボードモジュールを前記ベースに固定できることを特徴とする電子装置。
【請求項６】
前記キーボードモジュールは、前記キーボードモジュールを囲むフレームを備え、前記磁石は、前記フレームに設置され、前記ベースには、収容部が凹んで設けられ、前記固定部材は、前記収容部を囲み、且つ前記収容部の辺部に設置されることを特徴とする請求項５に記載の電子装置。
【請求項７】
前記ベースには、収容部が凹んで設けられ、前記固定部材は、前記収容部の底部に設置され、前記キーボードモジュールは、底面及び前記底面と相対する正面を備え、前記磁石は、前記底面及び前記正面に設置されることを特徴とする請求項５に記載の電子装置。
【請求項８】
前記固定部材は、前記収容部の底部の四角に設置され、且つ前記磁石は前記キーボードモジュールの底面及び正面の四角に設置されることを特徴とする請求項７に記載の電子装置。
【発明の詳細な説明】
【技術分野】
【０００１】
本発明は、電子装置に関し、特にキーボードを取り外すことができる電子装置に関するものである。
【背景技術】
【０００２】
モバイル技術の発展に伴い、様々な携帯式電子装置の使用が増大している。例えば、ノート型パソコン等である。このノート型パソコン等の電子装置にデータを入力するために、一般的にはキーボードが取り付けられている。キーボードは、通常ノート型パソコンに固定されているので、キーボードが故障した場合、ノート型パソコンのベースを開けてキーボードを修理しなければならない。しかし、ノート型パソコンのベース内部の空間は狭く、ベース内部に設置された部材は多いので、キーボードを修理する際に、ベース内部に設置された他の部材を損傷し易い。更に、一般のノート型パソコンのキーボードは、キーを押して入力するので、キーボードの機能は単一である。
【発明の概要】
【発明が解決しようとする課題】
【０００３】
以上の問題点に鑑みて、本発明は、様々な機能を有し、且つキーボードを取り外すことができる電子装置を提供することを目的とする。
【課題を解決するための手段】
【０００４】
上記の課題を解決するために、本発明の電子装置は、ベース及びキーボードモジュールを備える。前記ベースには、収容部が設けられ、前記キーボードモジュールは、第一表面と、前記第一表面と相対する第二表面と、前記第一表面と前記第二表面との間に位置するフレームと、を備え、前記キーボードモジュールの第一表面には、ボタンモジュールが設けられている。前記キーボードモジュールの第二表面には、スクリーンが設置され、前記キーボードモジュールは、取り外せるように前記収容部に設置されて、選択的に前記キーボードモジュール或いは前記スクリーンを使用することができる。また、前記収容部には磁石が設置され、前記キーボードモジュールの第一表面と第二表面の四角或いは前記フレーム中の少なくとも１つの辺部には、磁性材料によって製造された固定部材設置され、前記磁石は、前記キーボードモジュールの固定部材を吸着する。これにより、前記キーボードモジュールを前記収容部に固定することができる。
【０００５】
上記の課題を解決するために、本発明の電子装置は、ベース及びキーボードモジュールを備える。前記キーボードモジュールの底部には、スクリーンが設置され、前記キーボードモジュールを取り外して回転させた後、前記ベースに取り付けることで、使用者は、前記スクリーンを使用することができる。前記ベースには、磁性材料によって製造された固定部材が設置され、前記キーボードモジュールには、磁石が設置され、前記キーボードモジュールの磁石は、前記ベースの固定部材を吸着する。これにより、前記キーボードモジュールを前記ベースに固定することができる。
【発明の効果】
【０００６】
本発明の電子装置は、従来の電子装置に比べて、キーボードを電子装置から取り外すことができ、また、キーボードモジュールにスクリーンを設置することができるため、容易にスクリーンを使用することができる。
【図面の簡単な説明】
【０００７】
【図１】本発明に係る第一実施形態の電子装置の分解斜視図である。
【図２】図１に示した電子装置の別の視角から見た分解斜視図である。
【図３】図１に示した電子装置の組立図である。
【図４】図１に示した電子装置の別の組立図である。
【図５】本発明に係る第二実施形態の電子装置の分解斜視図である。
【図６】本発明に係る第三実施形態の電子装置の分解斜視図である。
【発明を実施するための形態】
【０００８】
以下、図面に基づいて、本発明に係る電子装置について詳細に説明する。図１及び図２に示したように、第一実施形態の電子装置１００は、ベース１０、キーボードモジュール３０、蓋体５０を備える。蓋体５０は、回転可能にベース１０に取り付けられ、キーボードモジュール３０は、ベース１０に取り付けられる。
【０００９】
ベース１０の蓋体５０と隣接する箇所には、凹んだ１つの収容部１１１が設けられており、収容部１１１の形状及びサイズは、キーボードモジュール３０の形状及びサイズと同じであり、キーボードモジュール３０は収容部１１１に収容することができる。更に、収容部１１１の深さは、キーボードモジュール３０の厚さと同じである。収容部１１１には、底部１２が設けられている。ベース１０には、複数の辺部１３が設けられ、該複数の辺部１３は、収容部１１１の外部を囲んでいる。底部１２の四角には、それぞれ１つの磁石１２１が設置されている。
【００１０】
キーボードモジュール３０は、第一表面３１（本実施形態においては、キーボードモジュール３０の正面）及び第一表面３１と相対して位置する第二表面３２（本実施形態においては、キーボードモジュール３０の底面）を備える。第一表面３１と第二表面３２は、互いに平行して位置し、第一表面３１には、１つのボタンモジュール３１１が設けられている。ボタンモジュール３１１は、複数のボタンを備える。第二表面３２には、１つのスクリーン３２１が設けられている。本実施状態において、スクリーン３２１は、タッチスクリーンである。キーボードモジュール３０は、１つのフレーム３６を備え、フレーム３６は、キーボードモジュール３０の第一表面３１と第二表面３２との間に設置され、且つキーボードモジュール３０の周辺を囲んでいる。第一表面３１と第二表面３２の四角には、それぞれ磁性材料によって製造された固定部材３７が設置されている。
【００１１】
図１及び図３に示したように、キーボードモジュール３０を使用する際、先ず、キーボードモジュール３０の第一表面３１を上方に向け、第二表面３２を下方に向ける。次に、キーボードモジュール３０をベース１０の収容部１１１の内部に収容する。この時、第一表面３１のボタンモジュール３１１は、ベース１０の作業面１１に露出する。これにより、ユーザはキーボードモジュール３０を使用することができる。この時、ベース１０の磁石１２１が、第二表面３２の四角における磁性材料によって製造された固定部材３７を吸着する。これにより、キーボードモジュール３０を収容部１１１の内部に固定できる。また、キーボードモジュール３０を収容部１１１から取り外したい場合は、磁石１２１と固定部材３７を分離させれば良い。
【００１２】
図２及び図４に示したように、スクリーン３２１を使用する際、先ず、キーボードモジュール３０を１８０度回転させて、第一表面３１を下方に向け、第二表面３２を上方に向ける。次に、キーボードモジュール３０を収容部１１１に収容すると、第二表面３２におけるスクリーン３２１は、ベース１０の作業面１１から露出する。これにより、スクリーン３２１を使用することができる。この時、ベース１０の磁石１２１が、第一表面３１の四角における磁性材料によって製造された固定部材３７を吸着する。これにより、キーボードモジュール３０を収容部１１１の内部に固定することができる。
【００１３】
図５に示したように、第二実施形態の電子装置１００では、複数の磁石１２１が、収容部１１１の辺部１３に設置されて、収容部１１１を囲む。また、磁性材料によって製造された複数の固定部材３７が、キーボードモジュール３０の外側に設置され、キーボードモジュール３０を収容部１１１に収容することができる。この時、磁石１２１は、固定部材３７を吸着する。これにより、キーボードモジュール３０を収容部１１１に固定することができる。
【００１４】
図６に示したように、第三実施形態の電子装置１００では、磁石１２１を隣接する２つの辺部１３における接続する箇所に設置し、磁性材料によって製造された固定部材３７をキーボードモジュール３０の四角に設置して、キーボードモジュール３０を収容部１１１に収容する。この時、収容部１１１の磁石１２１は、キーボードモジュール３０の固定部材３７を吸着する。これにより、キーボードモジュール３０を収容部１１１の内部に固定することができる。
【００１５】
勿論、磁石１２１をキーボードモジュール３０に設置しても良い。これにより、磁性材料によって製造された固定部材３７を、ベース１０の収容部１１１の内部に設置することができる。例えば、磁石１２１は、キーボードモジュール３０の第一表面３１と第二表面３２の四角或いはフレーム３６の外側に設置される。磁性材料によって製造された固定部材３７は、収容部１１１を囲み、収容部１１１の辺部１３、或いは収容部１１１の底部１２の四角に設置する。
【符号の説明】
【００１６】
１００  電子装置
１０  ベース
１１  作業面
１１１  収容部
１２  底部
１２１  磁石
１３  辺部
３０  キーボードモジュール
３１  第一表面
３１１  ボタンモジュール
３２  第二表面
３２１  スクリーン
３６  フレーム
３７  固定部材
５０  蓋体
【図１】
2014149820.tif 000003
【図２】
2014149820.tif 000004
【図３】
2014149820.tif 000005
【図４】
2014149820.tif 000006
【図５】
2014149820.tif 000007
【図６】
2014149820.tif 000008